(57)【特許請求の範囲】
【請求項１】
外周面の一部に外側セレーションを、先端に係止フランジを夫々形成したブラケット軸と、基端に、ブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板とを有するものにおいて、このカム板をフォークアームのスリットに挿入し、支承孔と装着孔とを整合させた状態で、これらをブラケット軸に対し回動可能に、かつ軸線方向に摺動可能に案内し、一方、フォークアームに関してブラケットと反対側におけるブラケット軸にフランジを有するカム板固定カラーを軸線方向に摺動可能に設け、他方、全体の形状がＣ字形の制御レバーの一端を上記係止フランジに回動可能に支承して、制御レバーがブラケット軸に垂直な平面内で回動できるように案内すると共に、制御レバーの湾曲した内周部にテーパ面を形成し、制御レバーがブラケット軸を包囲するように回動したとき、制御レバーに形成されたテーパ面がカム板固定カラーをブラケット軸の軸線方向に押動して、ブラケット軸の外側セレーションとカム板の内側セレーションとがブラケット軸の軸線方向において整合するようにしたことを特徴とするドアクローザの停止角度調整機構。
【発明の詳細な説明】
【０００１】
【発明の属する技術分野】
この発明は、ドアクローザの停止角度調整機構（以下単に停止角度調整機構という）に係り、特に、ドライバー等の工具を使用せずに簡単にドアクローザの停止角度を調整することができる停止角度調整機構に関する。
【０００２】
【従来の技術】
ドアクローザの停止装置、すなわち、閉鎖運動中のドアクローザを一時的に停止させる装置は、例えば荷物を室内に搬入させるとき、ドアを手で押えておかなくてもよいので便利である。
【０００３】
このドアクローザの停止装置は種々のものが提案されているが、簡単な構造で作動が確実なものとして、ドアクローザのリンク機構に組込まれたものがある。
【０００４】
この停止装置は、図１に示すように、ブラケット１を介して通常は図示しないドア枠に固定されるブラケット軸２に装着され、後述のクリックボールと係合する凹部３を形成したカム板４と、上記ブラケット軸に２に回動可能に支承されるフォークアーム５の筒状に形成された基部Ａに収納され、ブラケット軸２方向に付勢された図示しないクリックボール等のクリック体とを有している。
【０００５】
そして、ドアクローザが閉鎖方向に作動し、ブラケット軸２に固定されたカム板４に対し、フォークアーム５がブラケット軸２の回りを相対的に回動してその基部Aに内蔵されたクリックボールがカム板の凹部３と整合すると、クリックボールが凹部３に填り込んでドアクローザの閉鎖力に対抗してこれを停止させる。
【０００６】
この形式の停止装置は、図２に示すように、その停止角度位置調整機構を内蔵することができる。
【０００７】
すなわち、図２において符号６は、ブラケット１に固定されたブラケット軸２の基部においてその母線方向に形成された外側セレーションで、この外側セレーション６は、カム板４の装着孔７の開口端縁に形成された内側セレーション８と噛み合うことができる。
【０００８】
そして、上記のように形成されたカム板４は、フォークアーム５の基端に形成されたスリット９に水平方向に挿入され、その装着孔７をフォークアームの回動軸と同軸に整合した後、ブラケット軸２をフォークアーム５の基端の支承孔１１に挿入して内側及び外側セレーション８、６を適当な相対角度位置で噛み合わせる。
【０００９】
なお、上記のように構成された停止角度調整機構は、カラー１２、１２、支持盤１３及びカバー１４と共に止めねじ１５で一体的に結合される。
【００１０】
その為、止めねじ１５を緩めれば各構成部材は図２で上下方向に相対移動可能になるので、カム板４の内側セレーション８とブラケット軸の外側セレーション６との噛み合い係合を得ことができ、従ってこれらの相対角度位置を調整した後止めねじ１５を再度締結することにより停止角度の調整ができる。
【００１１】
【発明が解決しようとする課題】
上記のように構成され、図２に示すような停止角度調整機構は勿論所期の機能を発揮して実用されているが、角度調整の度毎にドライバー等の工具で止めねじ１５を緩める必要があり、その場で思いついての任意の停止角度調整ができない、という恨みが残る。
【００１２】
この発明は、ドライバー等の工具を必要とせず、手指で簡単に、かつ何時でもドアクローザの停止角度を調整できる停止角度調整機構を提供することを目的としている。
【００１３】
【課題を解決するための手段】
上記の目的を達成するため、請求項１に記載された発明は、外周面の一部に外側セレーションを、先端に係止フランジを夫々形成したブラケット軸と、基端に、ブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板とを有するものにおいて、このカム板をフォークアームのスリットに挿入し、支承孔と装着孔とを整合させた状態で、これらをブラケット軸に対し回動可能に、かつ軸線方向に摺動可能に案内し、一方、フォークアームに関してブラケットと反対側におけるブラケット軸にフランジを有するカム板固定カラーを軸線方向に摺動可能に設け、他方、全体の形状がＣ字形の制御レバーの一端を上記係止フランジに回動可能に支承して、制御レバーがブラケット軸に垂直な平面内で回動できるように案内すると共に、制御レバーの湾曲した内周部にテーパ面を形成し、制御レバーがブラケット軸を半ば包囲するように回動したとき、制御レバーに形成されたテーパ面がカム板固定カラーをブラケット軸の軸線方向に押動して、ブラケット軸の外側セレーションとカム板の内側セレーションとがブラケット軸の軸線方向において整合するようにしたことを特徴とする。
【００１４】
【発明の実施の形態】
以下この発明の実施例を図３乃至図６を参照して説明する。
図３及び図５において符号１は前記ブラケットを示し、このブラケット１の下面には、例えば溶接により、ブラケット軸２が下方に向けて固設されると共に、ブラケット軸の下端には、その中心軸に関して対称的に一対の固定耳片２１ａ、２１ｂを形成した円板状の係止フランジ２１がブラケット軸と同軸に固設されている。
【００１５】
上記ブラケット軸２の外周面のほぼ中間部には、外側セレーション６（図３参照）が形成されている。このセレーション６はブラケット軸２の母線方向に延在する多数の突条を円周方向に連設したものである。
【００１６】
上記ブラケット軸２には、カム板４とフォークアーム５の基端とが、前者が後者のスリット９内に挿入され、かつ前者の装着孔７（図２参照）及び後者の支承孔１１（図３参照）を整合させた状態で、回動可能に、また摺動可能に嵌合している。
【００１７】
なお、図示の実施例においては、フォークアームの支承孔１１とブラケット軸２との間の摩擦トルクを減少させるため、ブラケット１と外側セレーション６との間におけるブラケット軸２に上部カラー１８が嵌装されているが、この上部カラー１８は本発明の必須の構成要素ではない。
【００１８】
一方、フォークアーム５に関してブラケット１と反対側（すなわち下方）におけるブラケット軸２には、図３及び図５に示すように、フランジを有する短筒状のカム板固定カラー１６が摺動可能に嵌装されている。
【００１９】
なお、図示の実施例においては、このカム板固定カラー１６とブラケット軸２との間の摩擦トルクを減少させるため（図３参照）、ブラケット軸２の下方に下部カラー１７が嵌装されているが、この下部カラー１７は本発明の必須の構成要素ではない。
【００２０】
他方、前記した係止フランジ２１の上面には、制御レバー２４が水平面内で回動可能に設けられている。
【００２１】
この制御レバー２４は全体の形状がＣ字形のレバーで、その両端の薄肉部（図５参照）には、図４に示すように、一対の可動耳片２４ａ、２４ｂの一方が夫々が形成されており、その内一方の可動耳片２４ａには支持孔２４ｃが穿設されている。
【００２２】
そして、この制御レバー２４を支承するため、係止フランジ２１の一方の固定耳片２１ａにはブラケット軸２と平行なピン２２が植設され、上記支持孔２４ｃと嵌合するこのピン２２により、制御レバー２４は水平面内で回動可能に軸支されている（図４参照）。
【００２３】
そして、制御レバー２４はブラケット軸２を半ば包囲する角度位置（図６参照）と、係止フランジ２１から離間する角度位置（図４参照）をとることができる。
【００２４】
図示の実施例では、この制御レバー２４のＣ字形の切欠が中心を見込む角度は大凡１８０°に設定され、その内径は制御レバー２４が回動する面内におけるブラケット軸２の外径２ａ（図５参照）よりもやや大きく設定され、湾曲した内周部には上方外側に向けて拡径されたテーパ面２４ｅが形成されている。
【００２５】
また、制御レバー２４のＣ字の外径はカム板固定カラー１６の外径にほぼ等しくなるように設定されている（図５参照）。
【００２６】
制御レバー２４の常態角度位置、すなわちブラケット軸２を半ば包囲する角度位置を準安定的に保つため、制御レバーの他方の可動耳片２４ｂ、及び係止フランジの他方の固定耳片２１ｂの間に、公知のクリック装置が設けられている。
【００２７】
図示の実施例においては、係止フランジの他方の固定耳片２１ｂに係止ボール２３が出没可能に装着されており、この係止ボール２３は固定耳片２１ｂ内に内蔵された圧縮ばね等の弾力により上方に向けて付勢されている。
【００２８】
これに対応して、制御レバーの他方の可動耳片２４ｂには係止孔２４ｄが開口しており、制御レバー２４がブラケット軸２を半ば包囲し、制御レバー２４のＣ字の中心がブラケット軸の中心軸と整合した状態において、この係止孔２４ｄが係止ボール２３と係合し、制御レバー２４の回動を拘束してその常態角度位置を準安定的に保つ。
【００２９】
なお、図３及び図５において符号２５は皿ばねを示し、この皿ばね２５の弾力により、フォークアーム５は係止フランジ２１方向に付勢されている。
【００３０】
なお、この皿ばね２５には図示しない多数のスリットが放射状に形成されていて、大きな弾性変形を得ることができるように構成されている。
【００３１】
上記のように構成された請求項１に記載の発明の一実施例による停止角度調整機構は、常態、すなわちドアクローザの使用状態においては、図５及び図６に示すように、制御レバー２４がブラケット軸２を半ば包囲し、制御レバーのＣ字が係止フランジ２１に整合している。
【００３２】
このとき、カム板固定カラー１６の下面は制御レバー２４のＣ字部分の上面に載っており、カム板４の内側セレーション８とブラケット軸２の外側セレーション６とはブラケット軸２の軸線方向において整合して相互に噛み合うように、これらのセレーションの形成位置が設定されている。
【００３３】
従って、カム板４はブラケット軸のまわりの回動が拘束され、すなわちカム板４はブラケット軸２に固定された状態になるので、前記したように、フォークアーム５がブラケット軸に対し所定の角度相対回動すると、フォークアーム５に内蔵された図示しないクリック体がカム板４の凹部３に填り込み、ドアクローザはその回動角度で停止する。
【００３４】
なお、扉を強い力で閉鎖方向に押動すると、クリック体が凹部３を乗り越えてこれらの係合を解くので、以降ドアは閉鎖方向に回動する。
【００３５】
ドアの停止角度を変えるには、ブラケット軸２に対するカム板の凹部３の相対角度位置を変化させる。
【００３６】
そのためには制御レバー２４の可動耳片２４ｂに指先を当て、係止ボール２３の弾力に抗して図６の矢印２６の方向に制御レバー２４を回動させ、これを係止フランジ２１から離脱させる（図４参照）。
【００３７】
すると、制御レバー２４のＣ字部分の上面に載っていたカム板固定カラー１６は、カム板４及びフォークアーム５と共に、皿ばね２５の弾力及び重力により下降して、カム板の内側セレーション８とブラケット軸の外側セレーション６との噛み合いが解かれる。
【００３８】
両セレーションの噛み合いが解かれたことにより、カム板４はブラケット軸２のまわりの回動が可能となるので、カム板４を任意の新規の角度位置に置く。
【００３９】
カム板４の角度位置再設定後、制御レバー２４を皿ばね２５の弾力に抗して図４の矢印２７の方向に回動させていき、係止フランジ２１に整合させると共に、係止孔２４ｄと係止ボール２３とを係合させる。
【００４０】
上記制御レバー２４の回動操作の過程において、制御レバーのＣ字の内周部に形成されたテーパ面２４ｅと、カム板固定カラー１６及び／又はフォークアーム５の下面との間に生じる楔作用により、制御レバー２４はカム板固定カラー１６及びフォークアーム５をブラケット１方向に徐々に押し上げていき、遂には、図３に示すように、これらを制御レバー２４の上面に乗せるまで押動する。
【００４１】
この結果、ブラケット軸の外側セレーション６とカム板の内側セレーション８とが噛み合い、カム板４のフォークアーム５に対する新規な相対角度位置が設定される。
【００４２】
なお、図３においては、フォークアーム５、カム板４及びカム板固定カラー１６は一体となって皿ばね２５の下端と係止フランジ２１の上面との間に浮上した状態で画かれているが、これはフォークアーム５、カム板４及びカム板固定カラー１６とブラケット軸２との間の摩擦力により浮上している状態を示したものであり、上記摩擦力が小さい場合にはカム板固定カラー１６の下面は係止フランジ２１の上面に接するまで落下することとなる。
【００４３】
この状態では、テーパ面２４ｅがカム板固定カラー１６の下面に接する前に円筒部２４ｆ（図５参照）が先に接するので、カム板固定カラー１６をテーパ面２４ｅの楔作用で押し上げることができない。
【００４４】
そこで、このようなときには制御レバー２４を操作する指先とは別の指先でカム板固定カラー１６を手動で上方に持ち上げながら操作すればよい。
【００４５】
また、図示の実施例では、制御レバー２４のＣ字の形状を、Ｃ字の切欠が中心をみこむ角度を大凡１８０°に設定しているが、このみこむ角を劣角（１８０°以下）に設定し、その代わりに係止ボール２３及び係止孔２４ｄを省略してもよい。
【００４６】
すなわち、制御レバー２４をプラスチック等の弾性材で製造すると共に、制御レバーの円筒部２４ｆの内径をブラケット軸の外径２ａに略等しくすれば、制御レバー２４が係止フランジ２１に整合するときに、制御レバーのＣ字の両端部がＣ字の中心のまわりに弾性により開閉して、ブラケット軸２の外径２ａに係脱する。
【００４７】
よって、制御レバーが２４が係止フランジ２１に整合したときには、制御レバー２４はブラケット軸２を半周以上抱き抱える状態となり、その動きが拘束されることとなる。
【００４８】
さらに又、この実施例では、常態への復帰時、制御レバー２４のテーパ面２４ｅでカム板固定カラー１６の下面を押動させているが、カム板固定カラー１６を廃し、その代わりにフォークアーム５の下面を直接押動させてもよい。
【００４９】
【発明の効果】
以上の説明から明らかなように、この発明は、ブラケット軸に装着されたフォークアーム及びカム板をブラケット軸に沿って上下に移動させ、カム板の内側セレーション及びブラケット軸の外側セレーションを係脱できるようにし、これらフォークアーム及びカム板の移動と、内側及び外側セレーションの噛み合いの固定とを制御レバーによって行えるようにしたので、ドアクローザの停止角度位置を工具無しで任意に調整できる、という所期の目的を達成する。
【図面の簡単な説明】
【図１】  停止装置を備えた従来のドアクローザのリンク機構の外観斜視図。
【図２】  その停止角度調整機構の構成部材を展開して示す外観斜視図。
【図３】  請求項１に記載の発明の一実施例による停止角度調整機構の拡大断面図で、停止角度変更時の状態を示す。
【図４】  図３の矢印ＩＶ−ＩＶ線から見たその底面図。
【図５】  請求項１に記載の発明の実施例による停止角度調整機構の拡大断面図で、ドアクローザ作動時の常態を示す。
【図６】  図５の矢印ＶＩ−ＶＩ線から見たその底面図。
【符号の説明】
１   ブラケット
２   ブラケット軸
３   凹部
４   カム板
５   フォークアーム
６   外側セレーション
７   装着孔
８   内側セレーション
９   スリット
１１  支承孔
１６   カム板固定カラー
２１  係止フランジ
２２   ピン
２３   係止ボール
２４   制御レバー
２４ｄ  係止孔
２４ｅ  テーパ面
２５   皿ばね
【図１】
0003971030.tif 000002
【図２】
0003971030.tif 000003
【図３】
0003971030.tif 000004
【図４】
0003971030.tif 000005
【図５】
0003971030.tif 000006
【図６】
0003971030.tif 000007